(57)【要約】【課題】既存の水洗大便器に容易に増設することができると共に、使い勝手の良い汚物洗浄装置を提供する。【解決手段】本発明は、汚物洗浄装置（４）であって、給水源に接続された洗浄水分岐部（１４）と、この洗浄水分岐部の一方の流出口に接続されたフラッシュ吐水用開閉弁（１６）と、洗浄水分岐部の他方の流出口に接続された洗浄吐水用開閉弁（１８）と、フラッシュ吐水用操作部（６、１０）と、洗浄吐水用操作部（８、１２）と、フラッシュ吐水用操作部の操作に基づいてフラッシュ吐水を行うと共に、洗浄吐水用操作部の操作に基づいて洗浄吐水用開閉弁を開閉させる制御手段（２２）と、洗浄水分岐部の他方の流出口と洗浄用吐水口との間の通水路に設けられ、フラッシュ吐水及び洗浄用吐水が同時に行われた場合と、洗浄用吐水が単独で行われた場合の、洗浄用吐水口からの吐水流量の変動を抑制する流量調整手段（２０）と、を有することを特徴としている。【選択図】図２
2009082179.tif 000002
【特許請求の範囲】
【請求項１】
汚物流しへのフラッシュ吐水及び洗浄用吐水をする汚物洗浄装置であって、
給水源に接続された洗浄水分岐部と、
この洗浄水分岐部の一方の流出口に接続され、上記汚物流しにフラッシュ吐水させるフラッシュ吐水用開閉弁と、
上記洗浄水分岐部の他方の流出口に接続され、洗浄用吐水口から吐出される洗浄水を吐水・停止させる洗浄吐水用開閉弁と、
１回のフラッシュ吐水を行うために、使用者により操作されるフラッシュ吐水用操作部と、
洗浄用吐水を開始させ又は停止させるために、使用者により操作される洗浄吐水用操作部と、
上記フラッシュ吐水用操作部の操作に基づいてフラッシュ吐水を行うと共に、上記洗浄吐水用操作部の操作に基づいて上記洗浄吐水用開閉弁を開閉させる制御手段と、
上記洗浄水分岐部の他方の流出口と上記洗浄用吐水口との間の通水路に設けられ、上記フラッシュ吐水及び上記洗浄用吐水が同時に行われた場合と、上記洗浄用吐水が単独で行われた場合の、上記洗浄用吐水口からの吐水流量の変動を抑制する流量調整手段と、
を有することを特徴とする汚物洗浄装置。
【請求項２】
上記制御手段は、上記洗浄吐水用開閉弁を閉鎖させた後、所定の自動フラッシュ吐水時間に亘って上記フラッシュ吐水用操作部が操作されなかった場合には、自動的にフラッシュ吐水を実行する請求項１記載の汚物洗浄装置。
【請求項３】
上記制御手段は、上記洗浄吐水用開閉弁を開放させた後、所定の初期フラッシュ吐水時間に亘って上記フラッシュ吐水用操作部が操作されなかった場合には、自動的にフラッシュ吐水を実行する請求項１又は２記載の汚物洗浄装置。
【請求項４】
上記制御手段は、上記洗浄吐水用開閉弁が閉鎖された状態で、所定の洗浄継続待ち時間が経過する前に、上記洗浄吐水用開閉弁が開放されると、上記所定の初期フラッシュ吐水時間に基づく自動的なフラッシュ吐水をキャンセルさせる請求項３記載の汚物洗浄装置。
【請求項５】
上記制御手段は、上記初期フラッシュ吐水時間経過後にフラッシュ吐水を実行した後、上記フラッシュ吐水用操作部が操作されない場合には、所定のフラッシュ吐水間隔時間毎に自動的にフラッシュ吐水を実行する請求項３記載の汚物洗浄装置。
【請求項６】
さらに、フラッシュ吐水又は洗浄用吐水の水流により発電する発電手段を有し、上記制御手段は、上記発電手段によって発電された電力により作動される請求項１乃至５の何れか１項に記載の汚物洗浄装置。
【請求項７】
汚物を受けるボウル部、及びこのボウル部に連通した排水トラップ管路を備えた汚物流し本体と、
請求項１乃至６の何れか１項に記載の汚物洗浄装置と、を有することを特徴とする汚物流し。
【発明の詳細な説明】
【技術分野】
【０００１】
本発明は、汚物洗浄装置及びそれを備えた汚物流しに関し、特に、汚物流しへのフラッシュ吐水及び洗浄用吐水をする汚物洗浄装置及びそれを備えた汚物流しに関する。
【背景技術】
【０００２】
病院、診療所等の施設においては、尿瓶等に入った患者の排泄物を廃棄すると共に、排泄物を入れていた尿瓶等を洗浄する必要がある。特開平８−２３２３２１号公報（特許文献１）には、尿瓶洗浄水栓が記載されている。この尿瓶洗浄水栓は洋式の水洗大便器の近傍に設置され、尿瓶に入っていた汚物を水洗大便器に廃棄できるようになっている。また、この尿瓶洗浄水栓は、ハンドルが所定角度回動されると、本体の弁部が開いて、ホースに接続された吐出管の吐水口から洗浄水が吐水され、尿瓶を洗浄できるように構成されている。なお、この尿瓶洗浄水栓のハンドルは、本体に設けられた押しボタンを押すことによって回動可能となるように構成されており、洗浄水が不用意に吐出されるのを防止している。
【０００３】
【特許文献１】特開平８−２３２３２１号公報
【発明の開示】
【発明が解決しようとする課題】
【０００４】
しかしながら、特開平８−２３２３２１号公報記載の尿瓶洗浄水栓を、既存の水洗大便器（汚物流し）の近傍に設置する場合には、尿瓶洗浄水栓に洗浄水を供給するための水道をもう一系統増設する必要があり、大がかりな工事を必要とするという問題がある。即ち、水洗大便器を洗浄するフラッシュ吐水を行うための給水源とは別系統の水道を設ける必要があるという問題がある。また、水洗大便器を洗浄するフラッシュ吐水の給水源を分岐させ、尿瓶等を洗浄する洗浄用吐水の水源とすることが考えられる。しかしながら、この場合、フラッシュ吐水と洗浄用吐水を同時に行うと、フラッシュ吐水開始時には洗浄用吐水の流量が急激に減少すると共に、フラッシュ吐水終了時には急激に吐水流量が増加するので、尿瓶内の汚物が飛び散るなどして使い勝手が非常に悪くなるという問題がある。
【０００５】
従って、本発明は、既存の水洗大便器に容易に増設することができ、又は水洗大便器が設置されていた場所に容易に設置することができると共に、使い勝手の良い汚物洗浄装置及びそれを備えた汚物流しを提供することを目的としている。
【課題を解決するための手段】
【０００６】
上述した課題を解決するために、本発明は、汚物流しへのフラッシュ吐水及び洗浄用吐水をする汚物洗浄装置であって、給水源に接続された洗浄水分岐部と、この洗浄水分岐部の一方の流出口に接続され、汚物流しにフラッシュ吐水させるフラッシュ吐水用開閉弁と、洗浄水分岐部の他方の流出口に接続され、洗浄用吐水口から吐出される洗浄水を吐水・停止させる洗浄吐水用開閉弁と、１回のフラッシュ吐水を行うために、使用者により操作されるフラッシュ吐水用操作部と、洗浄用吐水を開始させ又は停止させるために、使用者により操作される洗浄吐水用操作部と、フラッシュ吐水用操作部の操作に基づいてフラッシュ吐水を行うと共に、洗浄吐水用操作部の操作に基づいて洗浄吐水用開閉弁を開閉させる制御手段と、洗浄水分岐部の他方の流出口と洗浄用吐水口との間の通水路に設けられ、フラッシュ吐水及び洗浄用吐水が同時に行われた場合と、洗浄用吐水が単独で行われた場合の、洗浄用吐水口からの吐水流量の変動を抑制する流量調整手段と、を有することを特徴としている。
【０００７】
このように構成された本発明においては、汚物洗浄装置は単一の給水源に接続され、洗浄水分岐部において分岐される。洗浄水分岐部の一方の流出口はフラッシュ吐水用開閉弁に接続され、他方の流出口は洗浄吐水用開閉弁に接続され、これらは、フラッシュ吐水用操作部及び洗浄吐水用操作部の操作により開閉される。さらに、流量調整手段は、フラッシュ吐水及び洗浄用吐水が同時に行われた場合と、洗浄用吐水が単独で行われた場合の、洗浄用吐水口からの吐水流量の変動を抑制する。
【０００８】
このように構成された本発明によれば、流量調整手段が洗浄用吐水口からの吐水流量の変動を抑制するので、単一の給水源に接続されていても洗浄用吐水の流量が急激に変化することがない。これにより、新築建物への設置時だけでなく、既存の水洗大便器に容易に増設し、又は水洗大便器が設置されていた場所に容易に設置することを可能にしながら、汚物洗浄装置の使い勝手を向上させることができる。
【０００９】
本発明において、好ましくは、制御手段は、洗浄吐水用開閉弁を閉鎖させた後、所定の自動フラッシュ吐水時間に亘ってフラッシュ吐水用操作部が操作されなかった場合には、自動的にフラッシュ吐水を実行する。
このように構成された本発明によれば、洗浄用吐水による洗浄作業の終了後の、フラッシュ吐水の流し忘れを防止することができる。
【００１０】
本発明において、好ましくは、制御手段は、洗浄吐水用開閉弁を開放させた後、所定の初期フラッシュ吐水時間に亘ってフラッシュ吐水用操作部が操作されなかった場合には、自動的にフラッシュ吐水を実行する。
【００１１】
このように構成された本発明によれば、洗浄初期に、汚物流しに汚物が大量に溜まっている状態が長時間放置されるのを防止することができるので、汚物流しからの臭気等の発生を抑制することができる。
【００１２】
本発明において、好ましくは、制御手段は、洗浄吐水用開閉弁が閉鎖された状態で、所定の洗浄継続待ち時間が経過する前に、洗浄吐水用開閉弁が開放されると、所定の初期フラッシュ吐水時間に基づく自動的なフラッシュ吐水をキャンセルさせる。
【００１３】
このように構成された本発明によれば、洗浄継続待ち時間が経過する前に洗浄用開閉弁が開放されると、同じ使用者による継続的な洗浄用吐水であって、汚物流しに溜まっている汚物が少ないと判断し、初期フラッシュ吐水時間に基づく自動的なフラッシュ吐水をキャンセルするため、溜まっている汚物が少ないのにフラッシュ吐水をして水を無駄に使用してしまうことを防止することができる。
【００１４】
本発明において、好ましくは、制御手段は、初期フラッシュ吐水時間経過後にフラッシュ吐水を実行した後、フラッシュ吐水用操作部が操作されない場合には、所定のフラッシュ吐水間隔時間毎に自動的にフラッシュ吐水を実行する。
【００１５】
このように構成された本発明によれば、所定のフラッシュ吐水間隔時間毎に自動的にフラッシュ吐水が実行されるので、汚物流しに汚物が大量に溜まる前に汚物を排出することができる。
【００１６】
本発明において、好ましくは、さらに、フラッシュ吐水又は洗浄用吐水の水流により発電する発電手段を有し、制御手段は、発電手段によって発電された電力により作動される。
このように構成された本発明によれば、汚物洗浄装置を作動させるための商用電源が敷設されていない場所にも、汚物洗浄装置を設置することが可能になる。
【００１７】
また、本発明の汚物流しは、汚物を受けるボウル部、及びこのボウル部に連通した排水トラップ管路を備えた汚物流し本体と、本発明の汚物洗浄装置と、を有することを特徴としている。
【発明の効果】
【００１８】
本発明の汚物洗浄装置及びそれを備えた汚物流しによれば、新築建物への設置時だけでなく、既存の水洗大便器にも容易に増設することができると共に、使い勝手を良くすることができる。
【発明を実施するための最良の形態】
【００１９】
次に、添付図面を参照して、本発明の好ましい実施形態を説明する。
まず、図１乃至図５を参照して、本発明の第１実施形態による汚物流しを説明する。図１は、本実施形態の汚物流しの全体構成を示す斜視図である。図２は、本実施形態の汚物流しの給水系統を示すブロック図である。また、図３は、本実施形態の汚物流しに使用されている定流量弁の構造を示す断面図である。
【００２０】
図１に示すように、本発明の第１実施形態による汚物流し１は、汚物流し本体２と、この汚物流し本体２にフラッシュ吐水及び洗浄用吐水を行う汚物洗浄装置４と、を有する。本実施形態の汚物流し１は、使用者が、尿瓶等に入った汚物を、汚物流し本体２のボウル部２ａに廃棄した後、洗浄足踏スイッチ８を足で踏み、又は洗浄スイッチ１２に手指をかざすことにより、洗浄用吐水口４ａから洗浄水が吐出されるように構成されている。この洗浄用吐水により、使用者は尿瓶等を洗浄する。また、フラッシュ足踏スイッチ６を足で踏み、又はフラッシュスイッチ１０に手指をかざすことにより、ボウル部２ａにフラッシュ吐水が行われる。このフラッシュ吐水により、ボウル部２ａに溜まった汚物及び洗浄水が、下水に排出される。
【００２１】
汚物流し本体２は、上方に向けて開放され、汚物を受けるボウル部２ａと、このボウル部の上端に設けられたボックスリム２ｂと、ボウル部２ａの底部に連通した排水トラップ管路２ｃと、を有する。ボックスリム２ｂは、ボウル部２ａの上端の縁の全周に設けられた通水路であり、この通水路の底面には、多数のリム吐水口（図示せず）が設けられている。フラッシュ吐水時においては、給水源Ｓから供給された大流量の洗浄水が、フラッシュ吐水管路４ｂを介してボックスリム２ｂに流入し、リム吐水口からボウル部２ａ内に吐出される。
【００２２】
排水トラップ管路２ｃは、ボウル部２ａの底部と下水管（図示せず）を連通させるように構成されている。ボウル部２ａに溜まった汚物及び洗浄水は、この排水トラップ管路２ｃを通って下水に排出される。また、排水トラップ管路２ｃは洗浄水により水封されており、下水からの臭気等の侵入を防止している。
【００２３】
汚物洗浄装置４は、フラッシュ吐水用操作部であるフラッシュ足踏スイッチ６、及び洗浄吐水用操作部である洗浄足踏スイッチ８を有する。さらに、汚物洗浄装置４には、フラッシュ吐水用操作部である非接触式のフラッシュスイッチ１０、及び洗浄吐水用操作部である非接触式の洗浄スイッチ１２が設けられている。
【００２４】
フラッシュ足踏スイッチ６及び洗浄足踏スイッチ８は、汚物流し１を設置した床面上に配置される足踏み式のスイッチであり、足踏み操作されると信号電波を発信し、スイッチが操作されたことを汚物洗浄装置４に内蔵されたコントローラ２２（図２）に送信するように構成されている。また、フラッシュ足踏スイッチ６及び洗浄足踏スイッチ８は、汚物洗浄装置４の筐体及び汚物流し本体２とは別体に構成されており、図１に示す汚物流し本体２の正面の他、左右の側面等、任意の位置に配置することができる。
【００２５】
フラッシュスイッチ１０及び洗浄スイッチ１２は、汚物洗浄装置４の筐体に設けられた赤外線の非接触式のスイッチであり、使用者がこれらのスイッチに手指をかざすことにより、汚物洗浄装置４に内蔵されたコントローラ２２（図２）は、スイッチが操作されたことを認識する。
【００２６】
次に、図２を参照して、汚物洗浄装置４の内部構成を説明する。
図２に示すように、汚物洗浄装置４は、洗浄水分岐部であるＴ字管１４と、このＴ字管１４の一方の流出口１４ａに接続されたフラッシュ吐水用開閉弁１６と、Ｔ字管１４の他方の流出口１４ｂに接続された洗浄吐水用開閉弁１８と、流出口１４ｂと洗浄吐水用開閉弁１８の間の通水路に接続された流量調整手段である定流量弁２０と、を有する。さらに、汚物洗浄装置４は、制御手段であるコントローラ２２と、このコントローラ２２を作動させるための発電手段である発電機２３と、を有する。
【００２７】
Ｔ字管１４は、１つの流入口１４ｃと、２つの流出口１４ａ、１４ｂを有する管部材であり、その流入口１４ｃは単一の給水源Ｓに接続されている。一方の流出口１４ａは、フラッシュ吐水用開閉弁１６、及びフラッシュ吐水管路４ｂを介して汚物流し本体２のボックスリム２ｂに連通されている。他方の流出口１４ｂは、定流量弁２０、及び洗浄吐水用開閉弁１８を介して洗浄用吐水口４ａに連通されている。
【００２８】
フラッシュ吐水用開閉弁１６は、コントローラ２２からの信号により開閉される電磁弁であり、Ｔ字管１４の流出口１４ａとフラッシュ吐水管路４ｂとの間に配置されている。フラッシュ吐水用開閉弁１６が開放されることにより、ボックスリム２ｂから大流量のフラッシュ吐水がなされる。本実施形態においては、フラッシュ吐水として、瞬間最大流量にして、約１００リットル／分の洗浄水が、約１０秒間吐出される。
【００２９】
洗浄吐水用開閉弁１８は、コントローラ２２からの信号により開閉される電磁弁であり、定流量弁２０と洗浄用吐水口４ａとの間に配置されている。洗浄吐水用開閉弁１８が開放されることにより、汚物流し本体２のボウル部２ａ上方に位置する洗浄用吐水口４ａから小流量の洗浄用吐水がなされる。
【００３０】
定流量弁２０は、Ｔ字管１４の流出口１４ｂと洗浄吐水用開閉弁１８との間に配置されており、洗浄吐水用開閉弁１８に流入する洗浄水の流量を、所定流量以下に制限するように構成されている。本実施形態においては、定流量弁２０は洗浄吐水用開閉弁１８に流入する洗浄水の流量を約１５リットル／分以下に制限するように構成されている。定流量弁２０の構造については後述する。
【００３１】
コントローラ２２は、フラッシュ足踏スイッチ６又はフラッシュスイッチ１０からの信号を受信すると、フラッシュ吐水用開閉弁１６を約４秒間開放させた後、閉鎖させ１回のフラッシュ吐水を行うように構成されている。また、コントローラ２２は、洗浄足踏スイッチ８又は洗浄スイッチ１２からの信号を受信すると洗浄吐水用開閉弁１８を開放させ、洗浄足踏スイッチ８又は洗浄スイッチ１２からの信号を再び受信すると洗浄吐水用開閉弁１８を閉鎖させるように構成されている。
【００３２】
さらに、コントローラ２２は、所定の条件が満足された場合には、自動的にフラッシュ吐水を行うように構成されている。具体的には、マイクロプロセッサ、メモリ、及びこれらを作動させるプログラム（以上図示せず）等により構成されている。コントローラ２２による制御の詳細については後述する。
【００３３】
発電機２３は、給水源ＳとＴ字管１４の流入口１４ｃとの間の給水管路に設けられている。この発電機２３は、給水管路内に配置された翼車（図示せず）を備えており、この翼車はフラッシュ吐水又は洗浄用吐水が行われると、給水管路を流れる水流により回転される。翼車の回転は電気エネルギーに変換され、コントローラ２２に送られる。コントローラ２２は、この電気エネルギーを充電し、充電された電気エネルギーにより作動される。
【００３４】
次に、図３を参照して、流量調整手段である定流量弁２０の構成を説明する。
図３に示すように、本実施形態においては、定流量弁２０は、隣接して設けられた逆止弁２４と一体のアセンブリを形成している。
定流量弁２０は、定流量弁本体２６と、この定流量弁本体２６内で摺動可能に配置された定流量弁体２８と、この定流量弁体２８を開放する方向に付勢する定流量弁バネ３０と、を有する。
【００３５】
定流量弁本体２６は、概ね円筒状の部材であり、その内部の中心軸線上に、定流量弁体２８を摺動可能に保持している。また、定流量弁本体２６の側面には、金網が配置されており、定流量弁本体２６内に流入する洗浄水を整流すると共に、内部にゴミが侵入するのを防止している。
【００３６】
定流量弁体２８は、定流量弁本体２６に流入する洗浄水の水勢により、摺動されるように構成されている。また、定流量弁バネ３０は、円錐形状に巻かれたコイルスプリングであり、定流量弁体２８を開放させる方向に付勢している。定流量弁本体２６を通過する流量が所定流量よりも大きくなると、定流量弁体２８は定流量弁バネ３０の付勢力に抗して摺動され、定流量弁２０の開度は小さくなる。逆に、定流量弁本体２６を通過する流量が小さい場合には、定流量弁体２８は定流量弁バネ３０の付勢力により摺動され、定流量弁２０の開度は大きくなる。これにより、定流量弁２０を通過する流量は、ほぼ一定に維持される。
【００３７】
逆止弁２４は、逆止弁本体３２と、この逆止弁本体３２に対して摺動可能に配置された逆止弁体３４と、この逆止弁体３４を閉鎖する方向に付勢する逆止弁バネ３６と、を有する。
【００３８】
逆止弁２４は、その下流側の圧力が上流側の圧力よりも低くなると、逆止弁体３４が逆止弁バネ３６の付勢力に抗して摺動され、開放される。逆に、上流側の圧力が下流側の圧力よりも低くなると、逆止弁体３４は逆止弁バネ３６の付勢力により閉鎖され、洗浄水の逆流が防止される。
【００３９】
図３に示すように、定流量弁２０と逆止弁２４のアセンブリの流入口２４ａから流入した洗浄水は、水勢により逆止弁体３４を逆止弁バネ３６の付勢力に抗して摺動させ、逆止弁２４を通過する。逆止弁２４を通過した洗浄水は、定流量弁本体２６内に流入し、定流量弁２０を通過する。定流量弁２０を通過した洗浄水は、アセンブリの流出口２０ａから流出する。また、定流量弁２０を通過しようとする洗浄水の流量が増加すると、定流量弁体２８が定流量弁バネ３０の付勢力に抗して摺動され、定流量弁２０の開度が減少する。逆に、定流量弁２０を通過しようとする洗浄水の流量が減少すると、定流量弁体２８が定流量弁バネ３０の付勢力により摺動され、定流量弁２０の開度が増大する。これにより、定流量弁２０を通過する洗浄水の流量がほぼ一定に維持される。
【００４０】
次に、本発明の第１実施形態による汚物流し１の作用を説明する。
まず、図４を新たに参照して、使用者の手動による吐水について説明する。図４は、上段から順に、洗浄足踏スイッチ８から発せられる信号、洗浄吐水用開閉弁１８の状態、フラッシュ足踏スイッチ６から発せられる信号、フラッシュ吐水用開閉弁１６の状態を時系列で示すグラフである。
【００４１】
まず、汚物流し１の使用者は、尿瓶等に入った汚物を、汚物流し本体２のボウル部２ａに廃棄する。次いで、使用者が、図４の時刻ｔ１において洗浄足踏スイッチ８を踏むと、洗浄足踏スイッチ８は電波を発信し、コントローラ２２はこれを受信する。コントローラ２２は、洗浄吐水用開閉弁１８が閉鎖された状態において、洗浄足踏スイッチ８からの信号を受信すると、洗浄吐水用開閉弁１８に信号を送ってこれを開放させる。洗浄吐水用開閉弁１８が開放されると、給水源Ｓから供給された洗浄水は、Ｔ字管１４の流入口１４ｃ、流出口１４ｂ、定流量弁２０、洗浄吐水用開閉弁１８を通って洗浄用吐水口４ａから吐出され、ボウル部２ａに流下する。
【００４２】
ここで、給水源Ｓは、フラッシュ吐水にも使用することができる大流量を供給可能な給水源であるが、Ｔ字管１４の流出口１４ｂから流出した洗浄水は定流量弁２０において流量を制限され、尿瓶等の洗浄に適した流量にされて洗浄用吐水口４ａから吐出される。使用者は、洗浄用吐水口４ａからの洗浄用吐水により尿瓶等を洗浄する。
【００４３】
次に、時刻ｔ２において、使用者が、フラッシュ足踏スイッチ６を踏むと、フラッシュ足踏スイッチ６は電波を発信し、コントローラ２２はこれを受信する。コントローラ２２は、フラッシュ足踏スイッチ６からの信号を受信すると、フラッシュ吐水用開閉弁１６に信号を送ってこれを所定時間（時刻ｔ３まで）開放させる。本実施形態においては、フラッシュ吐水用開閉弁１６は、約４秒間開放される。フラッシュ吐水用開閉弁１６が開放されると、給水源Ｓから供給された洗浄水は、Ｔ字管１４の流入口１４ｃ、流出口１４ａ、フラッシュ吐水用開閉弁１６、フラッシュ吐水管路４ｂを通ってボウル部２ａに設けられたボックスリム２ｂの吐水口から吐出され、ボウル部２ａに流入する。
【００４４】
このフラッシュ吐水により大流量の洗浄水がボウル部２ａに流入するので、ボウル部２ａ内の水位は急激に上昇し、ボウル部２ａ内に溜まっていた汚物及び洗浄水は、排水トラップ管路２ｃを乗り越えて下水管に排出される。
【００４５】
なお、フラッシュ吐水用開閉弁１６が開放されると、給水源Ｓから供給された洗浄水は、洗浄用吐水口４ａに加え、ボックスリム２ｂの方にも流れるようになるので、定流量弁２０に流入する洗浄水の圧力は急激に低下する。このように圧力が低下した状態においても、なお、洗浄用吐水口４ａから適正な流量の洗浄水を吐出させるために必要な給水圧が維持される。このため、洗浄用吐水口４ａからの吐水流量は、フラッシュ吐水が開始された後も、ほぼ一定に維持される。
【００４６】
次に、時刻ｔ３において、フラッシュ吐水用開閉弁１６が閉鎖されると、給水源Ｓからの洗浄水は、ボックスリム２ｂの方へ流れなくなるため、定流量弁２０に流入する洗浄水の圧力は急激に上昇する。このように、定流量弁２０に流入する給水圧力が上昇すると、定流量弁２０の定流量弁体２８（図３）は閉方向（図３における下方）に摺動され、定流量弁２０を通過する流量は、ほぼ一定に維持される。これにより、フラッシュ吐水用開閉弁１６が閉鎖された際、洗浄用吐水口４ａからの吐水流量が不意に上昇して、尿瓶等の洗浄時に大きな水跳ねを起こすのを防止することができる。
【００４７】
使用者は、尿瓶等の洗浄が終了した後、時刻ｔ４において、再び洗浄足踏スイッチ８を踏むと、洗浄足踏スイッチ８は電波を発信し、コントローラ２２はこれを受信する。コントローラ２２は、洗浄吐水用開閉弁１８が開放された状態において、洗浄足踏スイッチ８からの信号を受信すると、洗浄吐水用開閉弁１８に信号を送ってこれを閉鎖させる。これにより、洗浄用吐水口４ａからの吐水が停止される。
最後に、使用者は、時刻ｔ５において、フラッシュ足踏スイッチ６を再び踏み、ボックスリム２ｂからのフラッシュ吐水を行ってボウル部２ａを洗浄する。
【００４８】
なお、上記の作用においては、使用者は、専らフラッシュ足踏スイッチ６及び洗浄足踏スイッチ８を操作していたが、フラッシュスイッチ１０及び洗浄スイッチ１２に手指をかざすことによっても、全く同様に汚物流し１を使用することができる。
【００４９】
次に、図５を新たに参照して、コントローラ２２によって実行される自動的なフラッシュ吐水を説明する。図５は、上段から順に、洗浄足踏スイッチ８から発せられる信号、洗浄吐水用開閉弁１８の状態、フラッシュ足踏スイッチ６から発せられる信号、フラッシュ吐水用開閉弁１６の状態を時系列で示すグラフである。
【００５０】
まず、図５の時刻ｔ１において、使用者は、洗浄足踏スイッチ８を操作して、洗浄用吐水口４ａから吐水させ、尿瓶等の洗浄を開始する。時刻ｔ１における洗浄開始後、洗浄中に、所定の初期フラッシュ吐水時間Ｔ１に亘ってフラッシュ足踏スイッチ６及びフラッシュスイッチ１０が何れも操作されない場合には、コントローラ２２は、自動的にフラッシュ吐水用開閉弁１６に信号を送り、フラッシュ吐水を１回行う。これは、時刻ｔ１における洗浄開始時には、尿瓶等に入っていた汚物がボウル部２ａに廃棄されていることが想定され、ボウル部２ａに汚物が廃棄されたままの状態が長時間持続することにより臭気が発生するのを防止するためである。本実施形態においては、初期フラッシュ吐水時間Ｔ１は、約３０秒に設定されている。好ましくは、初期フラッシュ吐水時間Ｔ１を、約１０秒〜約５０秒に設定する。
【００５１】
さらに、時刻ｔ２において自動的にフラッシュ吐水された後、洗浄中に、所定のフラッシュ吐水間隔時間Ｔ２に亘ってフラッシュ足踏スイッチ６及びフラッシュスイッチ１０が何れも操作されない場合には、コントローラ２２は、自動的にフラッシュ吐水用開閉弁１６に信号を送り、フラッシュ吐水を１回行う。これは、時刻ｔ２におけるフラッシュ吐水後、ある程度時間が経過しており、尿瓶等から洗い流された汚物がボウル部２ａに溜まっていることが想定され、この状態が継続することを防止するためである。また、コントローラ２２は、フラッシュ足踏スイッチ６及びフラッシュスイッチ１０が何れも操作されない場合には、以後、フラッシュ吐水間隔時間Ｔ２毎に１回、自動的にフラッシュ吐水を実行する。
【００５２】
なお、本実施形態においては、フラッシュ吐水間隔時間Ｔ２は、約２分に設定されている。好ましくは、フラッシュ吐水間隔時間Ｔ２を、約１分〜約３分に設定する。ここで、フラッシュ吐水間隔時間Ｔ２が、初期フラッシュ吐水時間Ｔ１よりも長く設定されているのは、洗浄初期においては、尿瓶等に入っていた汚物が大量にボウル部２ａに廃棄されていることが想定されるのに対し、１回フラッシュ吐水が実行された後は、ボウル部２ａに溜まっている汚物の量は比較的少ないことが想定されるためである。
【００５３】
次に、時刻ｔ５において、使用者は、洗浄足踏スイッチ８を操作して、洗浄用吐水口４ａからの吐水を停止させ、尿瓶等の洗浄を終了する。時刻ｔ５における洗浄終了後、所定の自動フラッシュ吐水時間Ｔ３に亘ってフラッシュ足踏スイッチ６及びフラッシュスイッチ１０が何れも操作されない場合には、コントローラ２２は、自動的にフラッシュ吐水用開閉弁１６に信号を送り、フラッシュ吐水を１回行う。これは、時刻ｔ５における洗浄終了後、使用者がフラッシュ吐水を行ってボウル部２ａを洗浄するのを忘れたことが想定されるためである。本実施形態においては、自動フラッシュ吐水時間Ｔ３は、約５分に設定されている。好ましくは、自動フラッシュ吐水時間Ｔ３を、約４分〜約６分に設定する。
【００５４】
なお、洗浄用吐水が停止された後、所定の洗浄継続待ち時間Ｔ０以内に洗浄用吐水が再開された場合には、コントローラ２２は、使用者による洗浄作業が継続していると判断し、初期フラッシュ吐水時間Ｔ１に基づく自動的なフラッシュ吐水はキャンセルされ、洗浄用吐水が再開された後にはフラッシュ吐水間隔時間Ｔ２毎のフラッシュ吐水が継続される。また、洗浄用吐水が停止され、所定の洗浄継続待ち時間Ｔ０が経過した後に洗浄用吐水が開始された場合には、コントローラ２２は、他の使用者が別の尿瓶等の洗浄を開始したと判断する。この場合には、コントローラ２２は、洗浄用吐水の開始後、初期フラッシュ吐水時間Ｔ１が経過すると、フラッシュ吐水を自動的に実行する。
なお、本実施形態においては、洗浄継続待ち時間Ｔ０は、約１０分に設定されている。好ましくは、洗浄継続待ち時間Ｔ０を、約５分〜約１５分に設定する。
【００５５】
さらに、コントローラ２２が、最後のフラッシュ吐水または洗浄用吐水から所定の設備保護洗浄時間が経過してもフラッシュ吐水及び洗浄用吐水の何れも行われなかったと判断すると、排水トラップの封水切れによる臭気を抑制するために、自動的にフラッシュ吐水する。本実施形態においては、設備保護洗浄時間は約１日に設定されている。好ましくは、設備保護洗浄時間を約０．５〜約２日に設定する。
【００５６】
本発明の第１実施形態の汚物流しによれば、洗浄用吐水口からの吐水流量の変動が定流量弁により抑制されるので、フラッシュ吐水及び洗浄用吐水が単一の給水源から供給されていても洗浄用吐水の流量が急激に変化することがない。これにより、既存の水洗大便器に容易に増設し、又は水洗大便器が設置されていた場所に容易に設置することを可能にしながら、汚物洗浄装置の使い勝手を向上させることができる。
【００５７】
また、本実施形態の汚物流しによれば、洗浄吐水用開閉弁が閉鎖された後、自動フラッシュ吐水時間に亘ってフラッシュ吐水用操作部が操作されなかった場合には、自動的にフラッシュ吐水が実行されるので、洗浄作業の終了後の、フラッシュ吐水の流し忘れを防止することができる。
【００５８】
さらに、本実施形態の汚物流しによれば、洗浄吐水用開閉弁が開放された後、初期フラッシュ吐水時間に亘ってフラッシュ吐水用操作部が操作されなかった場合には、自動的にフラッシュ吐水が実行されるので、洗浄初期に、汚物流しのボウル部に汚物が大量に溜まっている状態が長時間放置されるのを防止することができる。これにより、汚物流しからの臭気等の発生を抑制することができる。
【００５９】
また、本実施形態の汚物流しによれば、初期フラッシュ吐水時間経過後にフラッシュ吐水が実行された後、フラッシュ吐水用操作部が操作されない場合には、洗浄用吐水の吐水中は、所定のフラッシュ吐水間隔時間毎に自動的にフラッシュ吐水が実行されるので、汚物流しのボウル部に汚物が大量に溜まる前に汚物を排出することができる。
【００６０】
さらに、本実施形態の汚物流しによれば、コントローラが発電機によって発電された電力により作動されるので、汚物洗浄装置を作動させるための商用電源が敷設されていない場所にも、汚物洗浄装置を設置することができる。
【００６１】
また、上述した第１実施形態においては、流量調整手段として、定流量弁が使用されていたが、定流量弁に換えて、減圧弁を流量調整手段として使用することもできる。
【００６２】
また、上述した第１実施形態においては、コントローラは、洗浄開始後、所定の初期フラッシュ吐水時間Ｔ１が経過して、自動的にフラッシュ吐水を１回行った後、所定のフラッシュ吐水間隔時間Ｔ２毎のフラッシュ吐水を実行するように構成されている。しかしながら、初期フラッシュ吐水時間Ｔ１及びフラッシュ吐水間隔時間Ｔ２は、任意に設定することができる。例えば、変形例として、洗浄開始後、直ちに所定のフラッシュ吐水間隔時間Ｔ２毎のフラッシュ吐水が行われるように本発明を構成することもできる。
【００６３】
次に、図６を参照して、本発明の第２実施形態による汚物流しを説明する。本実施形態の汚物流しは、流量調整手段の構成が上述した第１実施形態とは異なる。従って、ここでは、本発明の第２実施形態の第１実施形態とは異なる点のみを説明し、同様の構成については説明を省略する。図６は、本発明の第２実施形態の汚物流しの給水系統を示すブロック図である。
【００６４】
図６に示すように、本実施形態の汚物流しにおける汚物洗浄装置２０４は、流量調整手段２２０として、第１洗浄吐水用開閉弁２２０ａと、第２洗浄吐水用開閉弁２２０ｂを有する。これらの第１洗浄吐水用開閉弁２２０ａ及び第２洗浄吐水用開閉弁２２０ｂは、Ｔ字管１４の流出口１４ｂと、洗浄用吐水口４ａの間に並列に設けられている。また、本実施形態においては、第１洗浄吐水用開閉弁２２０ａ及び第２洗浄吐水用開閉弁２２０ｂは、洗浄吐水用開閉弁としても機能する。
【００６５】
コントローラ２２２は、洗浄足踏スイッチ８又は洗浄スイッチ１２が操作され、洗浄用吐水口４ａのみから吐水される状態にされると、第１洗浄吐水用開閉弁２２０ａに信号を送って、これを開放させる。これにより、給水源Ｓから供給された洗浄水は、Ｔ字管１４の流入口１４ｃ、流出口１４ｂ、第１洗浄吐水用開閉弁２２０ａを通って洗浄用吐水口４ａから吐水される。ここで、第１洗浄吐水用開閉弁２２０ａは開放時における流路抵抗が大きく構成されているため、洗浄用吐水口４ａから吐出される洗浄用吐水は、尿瓶等を洗浄するために適正な流量にされる。
【００６６】
次いで、フラッシュ足踏スイッチ６又はフラッシュスイッチ１０が操作され、ボックスリム２ｂからも吐水される状態にされると、コントローラ２２２は、フラッシュ吐水用開閉弁１６を開放させると同時に、第２洗浄吐水用開閉弁２２０ｂを開放させる。ここで、第２洗浄吐水用開閉弁２２０ｂは開放時における流路抵抗が小さく構成されている。このため、フラッシュ吐水用開閉弁１６が開放されることにより、流出口１４ｂに流入する洗浄水の圧力が低下しても、洗浄水は第１洗浄吐水用開閉弁２２０ａ及び第２洗浄吐水用開閉弁２２０ｂを通って洗浄用吐水口４ａから吐水されるので、洗浄用吐水口４ａから吐出される洗浄水の流量は、ほぼ一定に維持される。
【００６７】
次に、フラッシュ吐水が終了し、フラッシュ吐水用開閉弁１６を閉鎖させる際には、コントローラ２２２は、第２洗浄吐水用開閉弁２２０ｂも同時に閉鎖させる。これにより、フラッシュ吐水を終了させる際にも、洗浄用吐水口４ａからの吐水流量はほぼ一定に維持される。
【００６８】
本発明の第２実施形態の汚物流しによれば、２つの開閉弁を使用して、容易に洗浄用吐水口からの吐水流量をほぼ一定に維持することができる。
また、上述した第２実施形態においては、第１、第２洗浄吐水用開閉弁の流路抵抗が異なるように構成することにより洗浄水の流量変化を抑制していたが、第１、第２洗浄吐水用開閉弁に同一のものを使用することもできる。この場合には、第１、第２洗浄吐水用開閉弁が夫々開放されたときに洗浄水が流れる管路の流路抵抗が異なるように構成する。
【００６９】
次に、図７を参照して、本発明の第３実施形態による汚物流しを説明する。本実施形態の汚物流しは、流量調整手段の構成が上述した第１実施形態とは異なる。従って、ここでは、本発明の第３実施形態の第１実施形態とは異なる点のみを説明し、同様の構成については説明を省略する。図７は、本発明の第３実施形態の汚物流しの給水系統を示すブロック図である。
【００７０】
図７に示すように、本実施形態の汚物流しにおける汚物洗浄装置３０４は、流量調整手段として、二段階開閉弁３２０を有する。この二段階開閉弁３２０は、Ｔ字管１４の流出口１４ｂと、洗浄用吐水口４ａの間に設けられている。また、二段階開閉弁３２０は、制御信号により、大流量モードと小流量モードの二段階の開度で開放できるように構成されている。さらに、本実施形態においては、二段階開閉弁３２０は、洗浄吐水用開閉弁としても機能する。
【００７１】
コントローラ３２２は、洗浄足踏スイッチ８又は洗浄スイッチ１２が操作され、洗浄用吐水口４ａのみから吐水される状態にされると、二段階開閉弁３２０に信号を送って、これを小流量モードで開放させる。これにより、給水源Ｓから供給された洗浄水は、Ｔ字管１４の流入口１４ｃ、流出口１４ｂ、二段階開閉弁３２０を通って洗浄用吐水口４ａから吐水される。ここで、小流量モードで開放された二段階開閉弁３２０は、流路抵抗が大きいため、洗浄用吐水口４ａから吐出される洗浄用吐水は、尿瓶等を洗浄するために適正な流量にされる。
【００７２】
次いで、フラッシュ足踏スイッチ６又はフラッシュスイッチ１０が操作され、ボックスリム２ｂからも吐水される状態にされると、コントローラ３２２は、フラッシュ吐水用開閉弁１６を開放させると同時に、二段階開閉弁３２０に信号を送って、これを大流量モードに切り換える。ここで、大流量モードで開放された二段階開閉弁３２０は流路抵抗が小さいため、フラッシュ吐水用開閉弁１６が開放されることにより、流出口１４ｂから二段階開閉弁３２０に流入する洗浄水の圧力が低下しても、洗浄用吐水口４ａから吐出される洗浄水の流量は、ほぼ一定に維持される。
【００７３】
次に、フラッシュ吐水が終了し、フラッシュ吐水用開閉弁１６を閉鎖させる際には、コントローラ３２２は、同時に二段階開閉弁３２０を小流量モードに切り換える。これにより、フラッシュ吐水を終了させる際にも、洗浄用吐水口４ａからの吐水流量はほぼ一定に維持される。
【００７４】
本発明の第３実施形態の汚物流しによれば、二段階開閉弁を使用して、容易に洗浄用吐水口からの吐水流量をほぼ一定に維持することができる。
次に、図８を参照して、本発明の第４実施形態による汚物流しを説明する。本実施形態の汚物流しは、流量調整手段の構成が上述した第１実施形態とは異なる。従って、ここでは、本発明の第４実施形態の第１実施形態とは異なる点のみを説明し、同様の構成については説明を省略する。図８は、本発明の第４実施形態の汚物流しの給水系統を示すブロック図である。
【００７５】
図８に示すように、本実施形態の汚物流しにおける汚物洗浄装置４０４は、流量調整手段４２０として、圧力センサ４２０ａと、この圧力センサ４２０ａの検出圧力に基づいて、開度を調節することができる開度調整開閉弁４２０ｂと、を有する。また、本実施形態においては、開度調整開閉弁４２０ｂは、洗浄吐水用開閉弁としても機能する。
【００７６】
圧力センサ４２０ａは、Ｔ字管１４の流出口１４ｂと開度調整開閉弁４２０ｂの間に設けられ、開度調整開閉弁４２０ｂに流入する洗浄水の圧力を測定するように構成されている。また、圧力センサ４２０ａによって測定された圧力は、コントローラ４２２に送られるように構成されている。コントローラ４２２は、圧力センサ４２０ａから送られた圧力の信号に基づいて開度調整開閉弁４２０ｂに信号を送り、開度調整開閉弁４２０ｂの開度を調整するように構成されている。
【００７７】
コントローラ４２２は、洗浄足踏スイッチ８又は洗浄スイッチ１２が操作され、洗浄用吐水口４ａのみから吐水される状態にされると、開度調整開閉弁４２０ｂに信号を送って、これを開放させる。この際、圧力センサ４２０ａによって測定される圧力は比較的高いものであるため、コントローラ４２２は開度調整開閉弁４２０ｂを小さな開度で開放させる。このため、洗浄用吐水口４ａから吐出される洗浄用吐水は、尿瓶等を洗浄するために適正な流量にされる。
【００７８】
次いで、フラッシュ足踏スイッチ６又はフラッシュスイッチ１０が操作され、ボックスリム２ｂからも吐水される状態にされると、コントローラ４２２は、フラッシュ吐水用開閉弁１６を開放させる。これにより、圧力センサ４２０ａによって測定される圧力は急激に低下する。圧力センサ４２０ａから送られた圧力の測定値が低下すると、コントローラ４２２は、開度調整開閉弁４２０ｂに信号を送り、開度調整開閉弁４２０ｂの開度を、圧力低下に見合うように大きくする。これにより、流出口１４ｂから開度調整開閉弁４２０ｂに流入する洗浄水の圧力が低下しても、洗浄用吐水口４ａから吐出される洗浄水の流量は、ほぼ一定に維持される。
【００７９】
次に、フラッシュ吐水が終了し、フラッシュ吐水用開閉弁１６を閉鎖されると、圧力センサ４２０ａによって測定される圧力は急激に上昇する。圧力センサ４２０ａから送られた圧力の測定値が上昇すると、コントローラ４２２は、開度調整開閉弁４２０ｂに信号を送り、開度調整開閉弁４２０ｂの開度を、圧力上昇に見合うように小さくする。これにより、流出口１４ｂから開度調整開閉弁４２０ｂに流入する洗浄水の圧力が上昇しても、洗浄用吐水口４ａから吐出される洗浄水の流量は、ほぼ一定に維持される。
【００８０】
本発明の第４実施形態の汚物流しによれば、圧力センサと開度調整開閉弁を使用して吐水流量を調整するので、より正確に流量を制御することができると共に、汚物流しの近傍に設置された他の給水機器による給水圧変動の影響も抑制することができる。
【００８１】
以上、本発明の好ましい実施形態を説明したが、上述した実施形態に種々の変更を加えることができる。特に、上述した実施形態においては、汚物洗浄装置と汚物流し本体により、本発明の汚物流しを構成していたが、本発明の汚物洗浄装置を、既存の水洗大便器本体の近傍に設置して、これらを汚物流しとして使用することもできる。
【図面の簡単な説明】
【００８２】
【図１】本発明の第１実施形態の汚物流しの全体構成を示す斜視図である。
【図２】本発明の第１実施形態の汚物流しの給水系統を示すブロック図である。
【図３】本発明の第１実施形態の汚物流しに使用されている定流量弁の構造を示す断面図である。
【図４】洗浄足踏スイッチから発せられる信号、洗浄吐水用開閉弁の状態、フラッシュ足踏スイッチから発せられる信号、フラッシュ吐水用開閉弁の状態を、上段から順に時系列で示すグラフである。
【図５】洗浄足踏スイッチから発せられる信号、洗浄吐水用開閉弁の状態、フラッシュ足踏スイッチから発せられる信号、フラッシュ吐水用開閉弁の状態を、上段から順に時系列で示すグラフである。
【図６】本発明の第２実施形態の汚物流しの給水系統を示すブロック図である。
【図７】本発明の第３実施形態の汚物流しの給水系統を示すブロック図である。
【図８】本発明の第４実施形態の汚物流しの給水系統を示すブロック図である。
【符号の説明】
【００８３】
Ｓ        給水源
Ｔ０      洗浄継続待ち時間
Ｔ１      初期フラッシュ吐水時間
Ｔ２      フラッシュ吐水間隔時間
Ｔ３      自動フラッシュ吐水時間
１        本発明の第１実施形態による汚物流し
２        汚物流し本体
２ａ      ボウル部
２ｂ      ボックスリム
２ｃ      排水トラップ管路
４        汚物洗浄装置
４ａ      洗浄用吐水口
４ｂ      フラッシュ吐水管路
６        フラッシュ足踏スイッチ（フラッシュ吐水用操作部）
８        洗浄足踏スイッチ（洗浄吐水用操作部）
１０      フラッシュスイッチ（フラッシュ吐水用操作部）
１２      洗浄スイッチ（洗浄吐水用操作部）
１４      Ｔ字管（洗浄水分岐部）
１４ａ    流出口
１４ｂ    流出口
１４ｃ    流入口
１６      フラッシュ吐水用開閉弁
１８      洗浄吐水用開閉弁
２０      定流量弁（流量調整手段）
２２      コントローラ
２３      発電機（発電手段）
２４      逆止弁
２６      定流量弁本体
２８      定流量弁体
３０      定流量弁バネ
３２      逆止弁本体
３４      逆止弁体
３６      逆止弁バネ
２０４    本発明の第２実施形態の汚物流しにおける汚物洗浄装置
２２０    流量調整手段
２２０ａ  第１洗浄吐水用開閉弁
２２０ｂ  第２洗浄吐水用開閉弁
２２２    コントローラ
３０４    本発明の第３実施形態の汚物流しにおける汚物洗浄装置
３２０    二段階開閉弁（流量調整手段）
３２２    コントローラ
４０４    本発明の第４実施形態の汚物流しにおける汚物洗浄装置
４２０    流量調整手段
４２０ａ  圧力センサ
４２０ｂ  開度調整開閉弁
４２２    コントローラ
【図１】
2009082179.tif 000003
【図２】
2009082179.tif 000004
【図３】
2009082179.tif 000005
【図４】
2009082179.tif 000006
【図５】
2009082179.tif 000007
【図６】
2009082179.tif 000008
【図７】
2009082179.tif 000009
【図８】
2009082179.tif 000010